(57)【特許請求の範囲】
【請求項１】
画像を入力する入力部と、
前記入力部で入力した入力画像の特徴点を抽出して入力画像表示領域に表示する特徴点抽出部と、
入力画像表示領域に表示された入力画像の指定された箇所に特徴点を設定する特徴点作成部と、
前記特徴点抽出部で抽出した特徴点および前記特徴点作成部で設定した特徴点を基に前記入力画像と画像データベースに格納されている格納画像とを照合して予め定められた閾値を満足する格納画像をリストアップし、前記入力画像および前記特徴点をＹ軸で１８０度画像反転させ、反転させた画像と前記格納画像とを照合して予め定められた閾値を満足する格納画像をリストアップする画像照合部と、
入力画像表示領域に表示する入力画像と候補画像表示領域に表示する候補画像との同一性を判定し同一候補画像を特定する画像特定部と、
前記入力画像を入力画像表示領域に表示する入力表示部と、
前記画像照合部で前記閾値を満足した格納画像を満足度の高い順に候補画像として候補画像表示領域に表示する候補表示部と、
画像データを蓄積する画像データベースと、
を備える照合装置。
【請求項２】
前記画像照合部は、前記入力画像と前記格納画像とを照合する手段と前記入力画像および前記特徴点をＹ軸で１８０度画像反転させ反転させた画像と前記格納画像とを照合する手段とを選択して照合する手段を有することを特徴とする請求項１記載の照合装置。
【請求項３】
前記画像が指紋画像であることを特徴とする請求項１または請求項２記載の照合装置。
【請求項４】
前記画像が掌紋画像であることを特徴とする請求項１または請求項２記載の照合装置。
【請求項５】
画像入力部から取り込んだ入力画像を入力画像表示領域に表示し、
前記入力画像の特徴点を抽出し、
前記入力画像に対して指定された箇所に特徴点を設定し、
前記抽出した特徴点および前記設定した特徴点を基に前記入力画像と画像データベースに格納されている格納画像データとを照合して予め定められた閾値を満足した格納画像データを候補としてリストアップし、
前記入力画像および前記特徴点をＹ軸で１８０度画像反転させ、
反転させた画像と前記格納画像とを照合して予め定められた閾値を満足する格納画像をリストアップし、
前記閾値を満足した格納画像を満足度の高い順に候補画像として候補画像表示領域に表示し、
前記入力画像表示領域に表示する入力画像と同一である候補画像を特定する、
ことを特徴とする照合方法。
【請求項６】
前記入力画像と前記格納画像とを照合する場合に、前記入力画像と前記格納画像とを照合することと前記入力画像および前記特徴点をＹ軸で１８０度画像反転させ反転させた画像と前記格納画像とを照合することとを選択して照合することを特徴とする請求項５記載の照合方法。
【請求項７】
前記画像が指紋画像であることを特徴とする請求項５または請求項６記載の照合方法。
【請求項８】
前記画像が掌紋画像であることを特徴とする請求項５または請求項６記載の照合方法。
【発明の詳細な説明】
【０００１】
【発明の属する技術分野】
本発明は、画像の照合装置に関し、特に入力した画像の表面と裏面を自動反転させて照合する照合装置および方法に関する。
【０００２】
【従来の技術】
犯罪は年々増加傾向にあり、遺留指紋照合の役割も大変重要視されている。
【０００３】
指紋の照合では、特徴点の抽出が大変重要なポイントを占めている。指紋の照合は、機械化され自動的に特徴点を取得することも可能になっているが、遺留指紋においては不鮮明な指紋が多く、特徴点の抽出には、まだまだ熟練した遺留指紋試験官の力が不可欠である。
【０００４】
採取した遺留指紋は、母印のように明確な形で残っていることは希で、ほとんどが、ミリ単位の小さな断片である。この遺留指紋を透明なプレートに貼ってしまうと、熟練した遺留指紋試験管でさえ表裏を識別するのは容易ではない。
【０００５】
このため、遺留指紋試験官は、１回目の照合で十分な照合結果が得られない場合、採取した遺留指紋を裏返して再度特徴点の抽出を行って照合を行っている。
【０００６】
【発明が解決しようとする課題】
しかし、上述の従来技術では、１回目の照合で十分な照合結果が得られない場合に採取した遺留指紋を裏返して再度特徴点の抽出を行って照合を行わなければならず、照合作業が煩雑で時間がかかってしまうという問題点がある。
【０００７】
本発明の目的は、上述の問題点を解決するために、指紋画像を裏返したイメージに自動反転して照合する照合装置および方法を提供することにある。
【０００８】
【課題を解決するための手段】
本願第１の発明の照合装置は、画像を入力する入力部と、前記入力部で入力した入力画像の特徴点を抽出して入力画像表示領域に表示する特徴点抽出部と、入力画像表示領域に表示された入力画像の指定された箇所に特徴点を設定する特徴点作成部と、前記特徴点抽出部で抽出した特徴点および前記特徴点作成部で設定した特徴点を基に前記入力画像と画像データベースに格納されている格納画像とを照合して予め定められた閾値を満足する格納画像をリストアップし、前記入力画像および前記特徴点をＹ軸で１８０度画像反転させ、反転させた画像と前記格納画像とを照合して予め定められた閾値を満足する格納画像をリストアップする画像照合部と、入力画像表示領域に表示する入力画像と候補画像表示領域に表示する候補画像との同一性を判定し同一候補画像を特定する画像特定部と、前記入力画像を入力画像表示領域に表示する入力表示部と、前記画像照合部で前記閾値を満足した格納画像を満足度の高い順に候補画像として候補画像表示領域に表示する候補表示部と、画像データを蓄積する画像データベースと、を備える。
【０００９】
本願第２の発明の照合装置は、第１の発明において前記画像照合部は、前記入力画像と前記格納画像とを照合する手段と前記入力画像および前記特徴点をＹ軸で１８０度画像反転させ反転させた画像と前記格納画像とを照合する手段とを選択して照合する手段を有することを特徴とする。
【００１０】
本願第３の発明の照合装置は、第１または第２の発明において前記画像が指紋画像であることを特徴とする。
【００１１】
本願第４の発明の照合装置は、第１または第２の発明において前記画像が掌紋画像であることを特徴とする。
【００１２】
本願第５の発明の照合方法は、画像入力部から取り込んだ入力画像を入力画像表示領域に表示し、前記入力画像の特徴点を抽出し、前記入力画像に対して指定された箇所に特徴点を設定し、前記抽出した特徴点および前記設定した特徴点を基に前記入力画像と画像データベースに格納されている格納画像データとを照合して予め定められた閾値を満足した格納画像データを候補としてリストアップし、前記入力画像および前記特徴点をＹ軸で１８０度画像反転させ、反転させた画像と前記格納画像とを照合して予め定められた閾値を満足する格納画像をリストアップし、前記閾値を満足した格納画像を満足度の高い順に候補画像として候補画像表示領域に表示し、前記入力画像表示領域に表示する入力画像と同一である候補画像を特定する、ことを特徴とする。
【００１３】
本願第６の発明の照合方法は、第５の発明において前記入力画像と前記格納画像とを照合する場合に、前記入力画像と前記格納画像とを照合することと前記入力画像および前記特徴点をＹ軸で１８０度画像反転させ反転させた画像と前記格納画像とを照合することとを選択して照合することを特徴とする。
【００１４】
本願第７の発明の照合方法は、第５または第６の発明において前記画像が指紋画像であることを特徴とする。
【００１５】
本願第８の発明の照合方法は、第５または第６の発明において前記画像が掌紋画像であることを特徴とする。
【００１８】
【発明の実施の形態】
本発明の照合装置は、入力した画像を表裏に自動反転させ画像データベースに格納している格納画像と照合を行い同一画像を特定することを特徴としている。この自動反転照合により、煩雑な作業が解消され効率的で効果的な照合が可能となる。
【００１９】
本発明の第１の実施の形態について、図面を用いて詳細に説明する。
【００２０】
第１の実施の形態は、事件現場から採取した指紋（遺留指紋）の照合を行う指紋照合装置である。
【００２１】
図１は、本発明の第１の実施の形態の構成を示す図である。
【００２２】
図１を参照すると、指紋照合装置１は、入力部１１と、特徴点抽出部１２と、特徴点作成部１４と、指紋照合部１５と、指紋特定部１６と、入力表示部１７と、候補表示部１８と、指紋データベース１９と、から構成されている。
【００２３】
入力部１１は、高性能カメラなどの画像入力装置から指紋の画像を入力し、入力指紋表示領域１７１に表示する。
【００２４】
特徴点抽出部１２は、入力された指紋画像（表側）の特徴点を自動的に抽出し、入力指紋表示領域１７１に表示する。特徴点とは、指紋の紋様を描いている線（隆線）の端点および分岐点のことである。
【００２５】
特徴点作成部１４は、入力指紋表示領域１７１に表示された指紋画像(表側)に対して遺留指紋試験官が指定した箇所に、特徴点を設定する。
【００２６】
指紋照合部１５は、入力された指紋の照合面の指紋画像と指紋データベース１９に格納されている指紋画像とを照合し、予め定められた閾値を満足する格納指紋画像をリストアップする。入力指紋画像と格納指紋画像を照合する場合に、入力指紋画像と格納指紋画像を照合し、入力指紋画像をＹ軸で１８０度反転させた画像と格納指紋画像を照合することを自動的に行う。
【００２７】
指紋特定部１６は、入力指紋表示領域１７１に表示する入力指紋画像と候補指紋表示領域１８１に表示する候補指紋画像とを重ね合わせ、入力指紋画像と候補指紋画像との同一性を判定し同一候補指紋画像を特定する。同一性の判定をより容易にするために、入力指紋表示領域１７１に表示する指紋画像を表面にするか裏面にするかの切替部を設けてもよい。
【００２８】
入力表示部１７は、入力部１１が入力した指紋画像を入力指紋表示領域１７１に表示する。入力部１１にセットされた指紋の面の画像をそのまま表示する場合を表面、画像反転して表示する場合を裏面、とする。表面を表示しているのか裏面を表示しているのかを表示するようにしてもよい。
【００２９】
候補表示部１８は、指紋照合部１５で閾値を満足した格納画像を満足度の高い順に候補画像として候補指紋表示領域１８１に表示する。
【００３０】
指紋データベース１９は、収集した指紋の画像データを蓄積している装置である。指紋データベース１９は、押捺指紋あるいは／および遺留指紋の画像データを格納している。
【００３１】
本発明の第１の実施の形態の動作について、図２〜図３を用いて詳細に説明する。
【００３２】
図２は、本発明の第１の実施の形態の動作の流れを示す図である。
【００３３】
図２を参照すると、指紋照合の動作の流れは以下のようである。
【００３４】
（１）アルミニウム粉末等を利用して、現場から採取した指紋を透明なプレートのようなものに貼り付ける。
【００３５】
（２）高性能カメラなどの入力部１１から指紋照合装置１内に指紋画像を取り込み、入力指紋表示領域１７１に表示する。
【００３６】
（３）取り込んだ入力指紋画像について、指紋の特徴点を自動抽出する。
【００３７】
（４）自動抽出した特徴点に対し、更に特徴点を作成追加する。
【００３８】
（５）上記（３）〜（４）で抽出作成した特徴点を基に、入力指紋画像と指紋データベース１９に格納されている指紋画像データとの照合を行い、予め定められた閾値を満足した指紋画像データを候補としてリストアップする。
【００３９】
（６）上記（３）〜（４）で抽出作成した特徴点を裏返し（すなわち、入力指紋画像をＹ軸で１８０度反転させ）、再度、指紋データベース１９の指紋画像データと照合を行い、予め定められた閾値を満足した指紋画像データを候補としてリストアップする。
【００４０】
（７）上記（５）〜（６）でリストアップされた候補を満足度が高い順にマージする。
【００４１】
（８）候補を満足度が高い順に候補指紋表示領域１８１に表示し候補指紋表示領域１８１に表示した候補指紋画像を入力指紋表示領域１７１に表示する入力指紋画像と重ね合わせ入力指紋画像と候補指紋画像との同一性を判定し、入力指紋画像と同一である候補指紋画像を遺留指紋試験官が特定する。
【００４２】
図３は、入力指紋表示領域の表示例を示す図であり、（ａ）は入力した指紋画像を表示した例、（ｂ）は（ａ）で表示した指紋画像をＹ軸で１８０度反転させ表示した例、である。
【００４３】
図３（ａ）を参照すると、入力指紋表示領域１７１には、入力指紋画像に重ねる形で、入力指紋の中心点を原点とした隆線３１、Ｘ軸３２、Ｙ軸３３、特徴点３４，３５および３６が表示されている。特徴点３４〜３６は特徴点抽出部１２で自動抽出し特徴点作成部１４で追加設定したものである。
【００４４】
図３（ｂ）は、図３（ａ）で表示している入力指紋画像をＹ軸３３方向に垂直に１８０度回転させたものであり、特徴点もＹ軸３３方向に垂直に１８０度回転させた形で内部的に作成されることを示している。すなわち、図３（ａ）で表示した特徴点３４，特徴点３５および特徴点３６は、図３（ｂ）の特徴点３７，特徴点３８および特徴点３９に反転移動している。
【００４５】
このように、１回の作業で得られる特徴点を基にした自動反転により、遺留指紋を裏返したイメージでの特徴点の作成を自動的に行って照合を行うので、遺留指紋試験官は、事件現場から採取した指紋（遺留指紋）について表裏を意識することなく照合を行うことで、煩雑な作業が解消され、効率的で効果的な照合が可能となる。限られた数の遺留指紋試験官がより多くの遺留指紋を処理することができるという効果をもたらす。
【００４６】
本発明の第２の実施の形態について、図面を用いて詳細に説明する。
【００４７】
第２の実施の形態は、事件現場から採取した掌紋（遺留掌紋）の照合を行う掌紋照合装置である。
【００４８】
図４は、本発明の第２の実施の形態の構成を示す図である。
【００４９】
図４を参照すると、掌紋照合装置２は、入力部２１と、特徴点抽出部２２と、特徴点作成部２４と、掌紋照合部２５と、掌紋特定部２６と、入力表示部２７と、候補表示部２８と、掌紋データベース２９と、から構成されている。
【００５０】
入力部２１は、高性能カメラなどの画像入力装置から掌紋の画像を入力し、入力掌紋表示領域２７１に表示する。
【００５１】
特徴点抽出部２２は、入力された掌紋画像（表側）の特徴点を自動的に抽出し、入力掌紋表示領域２７１に表示する。特徴点とは、掌紋の紋様を描いている線（隆線）の端点および分岐点のことである。
【００５２】
特徴点作成部２４は、入力掌紋表示領域２７１に表示された掌紋画像（表側）に対して遺留掌紋試験官が指定した特徴点を設定する。
【００５３】
掌紋照合部２５は、入力された掌紋の照合面の掌紋画像と掌紋データベース２９に格納されている掌紋画像とを照合し、予め定められた閾値を満足する格納掌紋画像をリストアップする。入力掌紋画像と格納掌紋画像を照合する場合に、入力掌紋画像と格納掌紋画像を照合し、入力掌紋画像をＹ軸で１８０度反転させた画像と格納掌紋画像を照合することを自動的に行う。
【００５４】
掌紋特定部２６は、入力掌紋表示領域２７１に表示する入力掌紋画像と候補掌紋表示領域２８１に表示する候補掌紋画像とを重ね合わせ、入力掌紋画像と候補掌紋画像との同一性を判定し同一候補掌紋画像を特定する。同一性の判定をより容易にするために、入力掌紋表示領域２７１に表示する掌紋画像を表面にするか裏面にするかの切替部を設けてもよい。
【００５５】
入力表示部２７は、入力部２１が入力した掌紋画像を入力掌紋表示領域２７１に表示する。入力部２１にセットされた掌紋の面の画像をそのまま表示する場合を表面、画像反転して表示する場合を裏面、とする。表面を表示しているのか裏面を表示しているのかを表示するようにしてもよい。
【００５６】
候補表示部２８は、掌紋照合部２５で閾値を満足した格納画像を満足度の高い順に候補画像として候補掌紋表示領域２８１に表示する。
【００５７】
掌紋データベース２９は、収集した掌紋の画像データを蓄積している装置である。掌紋データベース２９は、押捺掌紋あるいは／および遺留掌紋の画像データを格納している。
【００５８】
第２の実施の形態の動作は、第１の実施の形態の動作と同様である。
【００５９】
上述の実施の形態では、照合部は、入力画像と格納画像を照合する場合に、入力画像と格納画像を照合し入力画像をＹ軸で１８０度反転させた画像と格納画像を照合することを自動的に行うが、入力指紋画像と格納指紋画像を照合することと入力指紋画像をＹ軸で１８０度反転させた画像と格納指紋画像を照合することを選択して照合するようにしてもよい。
【００６０】
また、上述の実施の形態では、入力画像をＹ軸で１８０度自動反転して照合していたが、更にＸ軸で１８０度自動反転して照合および／あるいはＹ軸とＸ軸で１８０度自動反転して照合するようにしてもよい。
【００６１】
【発明の効果】
第１の効果は、遺留指紋試験官の作業が効率化になることである。
【００６２】
その理由は、表裏と２回行っていた遺留指紋の判別を１回にすることで遺留指紋試験官の作業が半減されるからである。
【００６３】
第２の効果は、早急な事件解決がはかれることである。
【００６４】
その理由は、遺留指紋照合のスピードアップを図ることで、犯人の特定の手掛かりとなる情報を早急に取得することが可能となるからである。
【図面の簡単な説明】
【図１】本発明の第１の実施の形態の構成を示す図
【図２】本発明の第１の実施の形態の動作の流れを示す図
【図３】入力指紋表示領域の表示例を示す図
【図４】本発明の第２の実施の形態の構成を示す図
【符号の説明】
１    指紋照合装置
２    掌紋照合装置
１１    入力部
１２    特徴点抽出部
１４    特徴点作成部
１５    指紋照合部
１６    指紋特定部
１７    入力表示部
１８    候補表示部
１９    指紋データベース
２１    入力部
２２    特徴点抽出部
２４    特徴点作成部
２５    掌紋照合部
２６    掌紋特定部
２７    入力表示部
２８    候補表示部
２９    掌紋データベース
３１    隆線
３２    Ｘ軸
３３    Ｙ軸
３４    特徴点
３５    特徴点
３６    特徴点
３７    特徴点
３８    特徴点
３９    特徴点
１７１    入力指紋表示領域
１８１    候補指紋表示領域
２７１    入力掌紋表示領域
２８１    候補掌紋表示領域
【図１】
0003576924.tif 000002
【図２】
0003576924.tif 000003
【図３】
0003576924.tif 000004
【図４】
0003576924.tif 000005